(57)【要約】【課題】シャツの前身頃上端部分がはだけてしまうことや、襟の両端部が外向きに開き過ぎたり、跳ね上がったりしてしまうことを防止すると共に、襟元の装飾性を向上させる。【解決手段】襟元が開いた状態のシャツ１の襟２の一端部２ａに挟着する一方の挟着体３ａと、上記襟２の他端部２ｂに挟着する他方の挟着体３ｂとを連接体４の両端部に設ける。上記襟２の一端部２ａと他端部２ｂとを上記シャツ１の中央部に襟元が重なるまで引き寄せる寸法に、上記各挟着体３ａと３ｂの各挟着根元部分Ａ間の距離を設定する。各挟着体３ａ，３ｂを襟２の両端部に挟着させると、襟２の一端部２ａと他端部２ｂとが、シャツ１の中央部に襟元が重なるまで引き寄せられるので、シャツ１の前身頃上端部分がはだけたり、シャツ１の襟２の両端部が、外向きに開き過ぎたり、跳ね上がったりするのを防止することができる。又、シャツ１の襟元全体に形状的美観を創出することができる。【選択図】図２
2012045364.tif 000002
【特許請求の範囲】
【請求項１】
シャツの襟の一端部を挟着する一方の挟着体と、該襟の他端部を挟着する他方の挟着体を連接体の両端部に備え、且つネクタイ非着用で首元のボタン開放時における襟元が開いたシャツの襟の一端部を上記一方の挟着体で挟着すると共に該襟の他端部を他方の挟着体で挟着することにより、上記襟の一端部と他端部を、上記襟元が上記シャツの中央部に重なるまで引き寄せるようにしてなる構成を有することを特徴とする襟用サスペンダー兼襟元装身具。
【請求項２】
連接体の両端部に備えられる各挟着体を、シャツの襟端部を挟入させる襟端部挟入用溝部を形成すると共に、該襟端部挟入用溝部に挟入させた襟端部を挟着できるようにしてある第１と第２の突起片からなる構成とし、上記各挟着体における襟端部挟入用溝部の最奥部位置間の距離を、シャツの襟元が開いた状態における襟両端部中央部間の距離よりも短く、且つシャツの襟元を締めた状態における襟両端部中央部間の距離よりも長くした請求項１記載の襟用サスペンダー兼襟元装身具。
【請求項３】
連接体の中央部分に、装飾体を設けるようにした請求項１又は２記載の襟用サスペンダー兼襟元装身具。
【発明の詳細な説明】
【技術分野】
【０００１】
本発明は、ノーネクタイで首元のボタンを外して着用したワイシャツ等のシャツの襟の両端部を、シャツの中央部に襟元が重なるまで引き寄せるのに用いられる襟用サスペンダー兼襟元装身具に関するものである。
【背景技術】
【０００２】
従来、ワイシャツ等のシャツの襟の両端部が、外向きに開き過ぎたり、跳ね上がったりしてしまうことを防ぐ技術としては、ワイシャツ自体に造作を施したものとして、ボタンダウンと呼ばれる、ワイシャツ等の襟の両端部を該シャツの前身頃にボタンで留める形式のものが知られている。
【０００３】
又、他の例としては、タブカラーと呼ばれる、ワイシャツ等の襟の両端部の裏側に縫着したタブを該シャツの中央部に引き合わせて繋ぐ形式のものや、カラーバーと呼ばれる、ネクタイ着用時にワイシャツ等の襟の両端部を押さえる棒状の留め具が知られている。
【０００４】
一方、従来、ワイシャツ等のシャツの襟の両端部を飾る襟元装身具としては、一対の襟飾りチェーンでワイシャツ等の襟の両端部を緩やかに繋ぐコレットチェーンが知られている。
【０００５】
更に、ワイシャツ等のシャツの前身頃上端部分（襟元部分）の開きを制限するものとしては、ワイシャツ等の襟の両端部ではなく、ワイシャツ等の前身頃上端部分に取り付けるものが知られている（たとえば、特許文献１，２参照）。
【先行技術文献】
【特許文献】
【０００６】
【特許文献１】実開昭５４−１６１２０１号公報
【特許文献２】実用新案登録３１１４９２１号
【発明の概要】
【発明が解決しようとする課題】
【０００７】
ところが、上記したボタンダウンと呼ばれるものでは、ネクタイをせずにワイシャツ等のシャツの首元の第１ボタン等を外してワイシャツ等を着用する、いわゆるノーネクタイの場合、ワイシャツ等のシャツの前身頃上端部分（襟元部分）がはだけてしまうため、他人に、締まりがなくだらしない印象を与えてしまう。又、ワイシャツ等のシャツの襟元に味気がなくなり、ワイシャツ等の襟元の装飾性が欠けてしまう。
【０００８】
又、上記タブカラー、カラーバーと呼ばれるものは、ネクタイ着用時に、該ネクタイの結び目の重量に抗して該結び目を前方に押し出しながら、その反作用によりワイシャツ等のシャツの襟の両端部が浮いてしまうのを押さえることにより、ネクタイの結び目部分の形状を整えるのと同時に襟の形状を整えるようにするものであり、そもそもノーネクタイに用いることを想定しているものではない。又、襟元が開いた状態のワイシャツ等の襟の両端部を、該シャツの中央部に襟元が重なるまで引き寄せられる構造のものではない。
【０００９】
一方、上記コレットチェーンは、単にシャツの襟と襟元を飾る装身具にすぎないため、ノーネクタイのときに、ワイシャツ等のシャツの前身頃上端部がはだけてしまうため、他人に、締まりがなくだらしない印象を与えてしまう。又、ワイシャツ等のシャツの襟の両端部が、外向きに開き過ぎたり、跳ね上がったりするのを防止することができるものではない。
【００１０】
更に、上記特許文献１，２に記載されたものは、ワイシャツ等のシャツの襟元部分の開きを制限するものにすぎないため、該シャツの襟の両端部が、外向きに開き過ぎたり、跳ね上がったりしてしまうのを防止することができるものではない。又、ワイシャツ等の前身頃上端部分に取り付けるものであるため、首元に装着することによる違和感が生じる。
【００１１】
そこで、本発明は、ノーネクタイで首元のボタンを外して着用したワイシャツ等のシャツの襟元部分がはだけてしまうのを、首元に違和感を与えることなく防止することができるようにすると共に、該シャツの襟の両端部が、外向きに開き過ぎたり、跳ね上がったりしてしまうのとを防止することができるようにし、且つシャツの襟元の装飾性を向上させることができるようにした襟用サスペンダー兼襟元装身具を提供しようとするものである。
【課題を解決するための手段】
【００１２】
本発明は、上記課題を解決するために、請求項１に対応して、シャツの襟の一端部を挟着する一方の挟着体と、該襟の他端部を挟着する他方の挟着体を連接体の両端部に備え、且つネクタイ非着用で首元のボタン開放時における襟元が開いたシャツの襟の一端部を上記一方の挟着体で挟着すると共に該襟の他端部を他方の挟着体で挟着することにより、上記襟の一端部と他端部を、上記襟元が上記シャツの中央部に重なるまで引き寄せるようにしてなる構成とする。
【００１３】
又、請求項２に対応して、上記構成における連接体の両端部に備えられる各挟着体を、シャツの襟端部を挟入させる襟端部挟入用溝部を形成すると共に、該襟端部挟入用溝部に挟入させた襟端部を挟着できるようにしてある第１と第２の突起片からなる構成とし、上記各挟着体における襟端部挟入用溝部の最奥部位置間の距離を、シャツの襟元が開いた状態における襟両端部中央部間の距離よりも短く、且つシャツの襟元を締めた状態における襟両端部中央部間の距離よりも長くした構成とする。
【００１４】
更に、請求項３に対応して、上記構成における連接体の中央部分に、装飾体を設けるようにした構成とする。
【発明の効果】
【００１５】
本発明の襟用サスペンダー兼襟元装身具によれば、以下の如き優れた効果を発揮する。
（１）シャツの襟の一端部を挟着する一方の挟着体と、該襟の他端部を挟着する他方の挟着体を連接体の両端部に備え、且つネクタイ非着用で首元のボタン開放時における襟元が開いたシャツの襟の一端部を上記一方の挟着体で挟着すると共に該襟の他端部を他方の挟着体で挟着することにより、上記襟の一端部と他端部を、上記襟元が上記シャツの中央部に重なるまで引き寄せるようにしてなる構成としてあるので、本発明の襟用サスペンダー兼襟元装身具を使用することにより、シャツの前身頃上端部分（襟元部分）がはだけてしまうのを首元に違和感を与えることなく防止することができると共に、シャツの襟の両端部が、外向きに開き過ぎたり、跳ね上がったりしてしまうのを防止することができる。よって、身嗜みの乱れを防ぐことができ、端正な印象を創出することができる。又、連接体によりシャツの襟の一端部と他端部とをシャツの中央部に襟元が重なるまで引き寄せた状態を保持するようにしてあると共に、連接体がシャツの襟の両端部間に配置されるようにしてあるので、シャツの襟元に形状的美観を創出することができる。よって、シャツの襟元の装飾性を向上させることができる。更に、シャツの襟元は重なる状態になるだけであるため、シャツの襟元を締めたときのような締め付けは緩和されると共に、シャツの襟元を締めている場合に比して通気性も向上させることができ、又、シャツの襟元を開けている場合に比して保温性を高めることができる。 
（２）又、上記構成における連接体の両端部に備えられる各挟着体を、シャツの襟端部を挟入させる襟端部挟入用溝部を形成すると共に、該襟端部挟入用溝部に挟入させた襟端部を挟着できるようにしてある第１と第２の突起片からなる構成とし、上記各挟着体における襟端部挟入用溝部の最奥部位置間の距離を、シャツの襟元が開いた状態における襟両端部中央部間の距離よりも短く、且つシャツの襟元を締めた状態における襟両端部中央部間の距離よりも長くした構成としてあるので、シャツの襟元が開いた状態における襟両端部中央部間の距離を引き寄せるために本発明の襟用サスペンダー兼襟元装身具を使用することにより、シャツの首元の第１ボタンを留めるか、ネクタイを着用して襟元を締めた状態よりも襟元を緩くするように開いた状態に保持することができて、上記（１）に記載したと同様の効果を奏することができる。 
（３）更に、連接体の中央部分に、装飾体を設けるようにした構成としてあるので、装飾体が、他人から見て目立つ位置となる襟両端部間の中央に配置されることになり、シャツの襟元の装飾性をより向上させることができる。又、装飾体の自重を襟の両端部に作用させることができるので、シャツの襟の両端部が、外向きに開き過ぎたり、跳ね上がったりしてしまうのをより防止することができる。
【図面の簡単な説明】
【００１６】
【図１】本発明の襟用サスペンダー兼襟元装身具の実施の一形態を示すもので、（ａ）は概略正面図、（ｂ）は概略背面図、（ｃ）は概略側面図、（ｄ）は概略平面図である。
【図２】図１に示す襟用サスペンダー兼襟元装身具における連接体の両端部にある各挟着体における襟端部挟入用溝部の最奥部位置間の設定距離を説明するためのもので、（ａ）は襟用サスペンダー兼襟元装身具を、襟元が開いた状態のシャツの襟両端部に装着した状態を示す概略正面図、（ｂ）はシャツの襟元を開けた状態を示す概略正面図、（ｃ）はシャツの襟元を締めた状態を示す概略正面図である。
【図３】本発明の実施の他の形態を示すもので、(ａ)は概略正面図、（ｂ）は（ａ）の概略平面図である。
【図４】本発明の実施の更に他の形態を示す概略正面図である。
【図５】本発明の実施の更に別の形態を示す概略正面図である。
【図６】本発明の又別の形態を示す概略正面図である。
【図７】本発明の実施の別の形態を示す概略正面図である。
【図８】本発明の実施の別の形態を示すもので、（ａ）は概略正面図、（ｂ）は（ａ）の概略背面図、（ｃ）は（ｂ）のＢ−Ｂ方向切断平面図、（ｄ）は（ａ）の概略側面図、（ｅ）は装着状態の概略正面図である。
【図９】図１に示す本発明の襟用サスペンダー兼襟元装身具の変形例を示す挟着体の概略拡大平面図である。
【発明を実施するための形態】
【００１７】
以下、本発明を実施するための形態を図面を参照して説明する。
【００１８】
図１（ａ）（ｂ）（ｃ）（ｄ）と図２（ａ）（ｂ）（ｃ）は本発明の襟用サスペンダー兼襟元装身具の実施の一形態を示すもので、ノーネクタイで襟元が開いた状態のワイシャツやポロシャツの如きシャツ１の襟（襟羽）２の一端部２ａに挟着するための一方の挟着体３ａと、上記襟２の他端部２ｂに挟着する他方の挟着体３ｂと、上記一方の挟着体３ａと上記他方の挟着体３ｂを両端部に備えた帯状の連接体４とからなり、両挟着体３ａと３ｂを襟２の一端部２ａと他端部２ｂに挟着させることにより該襟２の一端部２ａと他端部２ｂとを上記シャツ１の中央部に上記襟元が重なるまで引き寄せるようにしてなる構成とする。
【００１９】
詳述すると、上記一方の挟着体３ａと他方の挟着体３ｂは、図１（ａ）（ｂ）（ｃ）（ｄ）に示す如く、第１の突起片としての挟着片５ａと、該第１の挟着片５ａに対向して設けられる第２の突起片としての挟着片５ｂと、該第１の挟着片５ａと第２の挟着片５ｂとを開閉可能に接続する接続部７と、上記第１と第２の挟着片５ａと５ｂを開閉させるレバー片６とを備えてなるクリップとしてあり、該各挟着体３ａ，３ｂの第１の挟着片５ａと第２の挟着片５ｂとの間に形成される襟端部挟入用溝部５ｃの最先端側の挟着口８から該襟端部挟入用溝部５ｃに、図２（ａ）に示す如く、ワイシャツやポロシャツの如きシャツ１の襟２の両端部２ａ，２ｂを挟み込んでレバー片６を第１の挟着片５ａに重ねるようにすることで、本発明の襟用サスペンダー兼襟元装身具を、上記襟２の両端部２ａ，２ｂに装着することができるようにしてある。又、上記第１の挟着片５ａと第２の挟着片５ｂの対向する面には、図１（ｃ）（ｄ）に示す如く、全面に亘り凹凸をそれぞれ設けるようにしてあり、該第１の挟着片５ａの凹凸と第２の挟着片５ｂの凹凸とは、挟着口８を閉じた状態にしたときに、先端（外側部分）で噛み合うようにしてある。これにより、各挟着体３ａ，３ｂの上記凹凸を、上記シャツ１の襟２の両端部に喰い込ませることで、本発明の襟用サスペンダー兼襟元装身具が、使用時に、落下したりずれたりすることを防止するようにしてあると共に、襟端辺と各挟着体３ａ，３ｂとのなす挟着角度を保ってシャツ１の襟元の形状的美観を保持することができる。更に、上記一方の挟着体３ａと他方の挟着体３ｂにおける上記各襟端部挟入用溝部５ｃの最奥部で襟２の端辺部が当接する部分（各挟着片５ａ，５ｂによる挟着根元部分）Ａ間の水平方向の距離Ｘは、図２（ａ）に示す如く、該各挟着体３ａ，３ｂをノーネクタイのシャツ１における襟２の一端部２ａ、他端部２ｂの各襟端辺部の中央部分にそれぞれ挟着させたときに、該襟２の一端部２ａと他端部２ｂとを、上記シャツ１の中央部に上記襟元が重なるまで引き寄せる（移動させる）ことができるような寸法、たとえば、図２（ｂ）に示す、シャツ１の襟元を開けた状態における襟両端部２ａ，２ｂの襟端辺の中央部間の水平方向の距離Ｌよりも短く、且つ、図２（ｃ）に示す、シャツ１の首元のボタン（第１ボタン）２ｃを留めて襟元を締めた状態における襟両端部２ａ，２ｂの襟端辺の中央部間の水平方向の距離ｌよりも長いものとしてある。
【００２０】
一方、上記連接体４は、図１（ａ）（ｂ）（ｄ）に示す如く、形状を帯状として、該連接体４の長さを、上記のように襟端部挟入用溝部５ｃの最奥部分Ａ間の距離Ｘが設定してある挟着体３ａ，３ｂの間を接続する長さに設定するようにしてあり、該長さに設定した連接体４の長さ方向（左右方向）両端部に、上記挟着体３ａ，３ｂを設けるようにしてある。これにより、シャツ１の襟２の一端部２ａと他端部２ｂとを、該襟２の一端部２ａと他端部２ｂの自重に抗して上記シャツ１の中央部に襟元が重なるまで引き寄せることができるようにしてある。
【００２１】
かかる構成において、図１（ａ）（ｂ）（ｃ）（ｄ）と図２（ａ）（ｂ）（ｃ）に示す実施の形態の襟用サスペンダー兼襟元装身具を、図２（ｂ）に示す、ノーネクタイで第１ボタン２ｃを外して襟元を開けた状態のシャツ１に装着する場合、上記一方の挟着体３ａを、シャツ１の襟２の一端部２ａに、該襟２の一端部が挟着片５ａと５ｂ間の襟端部挟入用溝部５ｃの最奥部Ａに当接するように挟み込ませて挟着させると共に、他方の挟着体３ｂを、シャツ１の襟２の他端部２ｂに同様に挟着させることにより行う。このとき、一方の挟着体３ａと他方の挟着体３ｂにおける上記襟端部挟入用溝部５ｃの最奥部Ａ間の水平方向の距離Ｘは、該各挟着体３ａ，３ｂを襟２の一端部２ａ、他端部２ｂにそれぞれ挟着させたときに、該襟２の一端部２ａと他端部２ｂとを上記シャツ１の中央部にシャツ１の襟元が重なるまで引き寄せることができる距離としてあるので、上記襟２の一端部２ａと他端部２ｂが、図２（ａ）に示す如く、上記シャツ１の中央部に襟元が重なるまで引き寄せられることになる。
【００２２】
このように、図１（ａ）（ｂ）（ｃ）（ｄ）と図２（ａ）（ｂ）（ｃ）に示す実施の形態における襟用サスペンダー兼襟元装身具によれば、ノーネクタイで襟元が開いた状態のシャツ１の襟２の一端部２ａに挟着する一方の挟着体３ａと、上記襟２の他端部２ｂに挟着する他方の挟着体３ｂと、該他方の挟着体３ｂと上記一方の挟着体３ａを両端部に備える連接体４とを備えてなる構成として、一方の挟着体３ａと他方の挟着体３ｂを上記襟２の一端部２ａと他端部２ｂに挟着することにより、該襟２の一端部２ａと他端部２ｂとを上記シャツ１の中央部に襟元が重なるまで引き寄せるようにしてあるので、シャツ１の前身頃上端部分（襟元部分）がはだけてしまうのを首元に違和感を与えることなく防止することができると共に、シャツ１の襟２の両端部が外向きに開き過ぎてしまうのを防止することができる。又、この際、シャツ１の襟２の一端部２ａと他端部２ｂには、本発明の襟用サスペンダー兼襟元装身具の自重が作用することになるので、シャツ１の襟２の両端部が跳ね上がってしまうのを防止することができる。よって、身嗜みの乱れを防ぐことができ、端正な印象を創出することができる。
【００２３】
又、連接体４により襟２の一端部２ａと他端部２ｂとをシャツ１の中央部に襟元が重なるまで引き寄せた状態を保持するようにしてあると共に、襟２の両端部間に連接体４が配置されるようにしてあるので、シャツ１の襟元全体に形状的美観を創出することができる。よって、シャツ１の襟元の装飾性を向上させることができる。
【００２４】
更に、上記において、シャツ１の襟元は、図２（ａ）のように、重なる状態になるだけであるため、図２（ｃ）のようにシャツ１の襟元を首元のボタン２ｃを留めて締めたときに比べて締め付けが緩和されると共に、シャツ１の襟元を締めている場合に比して通気性を向上させることができ、又、図２（ｂ）のように、シャツの襟元を開けている場合に比して保温性を高めることができる。
【００２５】
更に又、連接体４は帯状にしてあるので、帯状より細い紐状にした場合に比して、襟２の両端部をシャツ１の中央部に安定して引き寄せることができ、使用時に引き寄せた襟２が上下方向にずれようとする力に対しても耐えることができる。
【００２６】
次に、図３(ａ)（ｂ）は本発明の襟用サスペンダー兼襟元装身具の実施の他の形態を示すもので、一方の挟着体３ａと他方の挟着体３ｂと所要の長さとしてある連接体４の両端部に取り付けて、両挟着体３ａと３ｂを、図２（ａ）に示す如くシャツ１の襟２の一端部２ａと他端部２ｂにそれぞれ挟着させることにより、上記襟２の一端部２ａと他端部２ｂを、図２（ａ）に示すように、シャツ１の中央部へ引き寄せる作用をなすように構成されているものである。更に、上記連接体４を布製の帯体として、該連接体４の表面中央部に、刺しゅうによる十字型の模様９を付して装飾性を高めるようにしたものである。
【００２７】
上記各挟着体３ａ，３ｂの構成は、図１（ａ）（ｂ）（ｃ）（ｄ）に示したのと同様であり、同一のものには同一符号が付してある。
【００２８】
図３に示す実施の形態によれば、連接体４の表面中央部に模様９が付されているので、本発明の襟用サスペンダー兼襟元装身具を襟２の両端部２ａと２ｂに装着することから襟元全体に創出される形状的美観により襟及び襟元の装飾性を高めることができることに加えて、ワンポイントの模様９によりシャツ１の襟元の装飾性をより高めることが可能となる。又、この実施の形態においても、各挟着体３ａ，３ｂの襟端部挟入用溝部５ｃの最奥部Ａ間の水平方向距離Ｘを図２（ａ）に示す距離Ｘと等しくなるようにすると、図１（ａ）（ｂ）（ｃ）（ｄ）に示すものと同様の効果が得られる。
【００２９】
次いで、図４は、本発明の襟用サスペンダー兼襟元装身具の実施の更に他の形態を示すもので、連接体４の表面中央部に、装飾体としてのバッジ１０を取り付けるようにした構成としてあるものである。
【００３０】
上記装飾体としてのバッジ１０は、台形状のベース１０ａの表面中央部分に太陽を表わす模様１０ｂを付したものとしてあり、連接体４の表面に接着により取り付け、本発明の襟用サスペンダー兼襟元装身具の装飾性を高めるようにしてある。
【００３１】
上記装飾体としてのバッジ１０の連接体４への取り付けは、接着によるもの以外に、ネジ式、タイタック式、はめ込み式等を採用して着脱可能なものとすることもできるようにしてある。
【００３２】
その他の構成は、上記した実施の各形態に示すのと同様であり、同一のものには同一符号が付してある。
【００３３】
又、図５乃至図７は、いずれも本発明の襟用サスペンダー兼襟元装身具の実施の更に他の形態を示すもので、図５に示すものは、図４に示すものの変形例で、装飾体として、所要厚みと連接体４の幅寸法よりも大きい直径を有する円板状のベース１１ａの表面中央部分に太陽を表わす模様１１ｂを付したバッジ１１を用いるようにして腕時計のような形状にしたものである。
【００３４】
その他の構成は、上記した実施の各形態に示すのと同様であり、同一のものには同一符号が付してある。
【００３５】
図６に示すものは、本発明の襟用サスペンダー兼襟元装身具における連接体４に取り付ける装飾体として、前記バッジ１０，１１に代えて、布製のアクセサリー１２を連接体４に取り付けて用いるようにしたものである。
【００３６】
すなわち、装飾体としての布製のアクセサリー１２は、楯型のベース１２ａの表面に、三日月と星の模様１２ｂを付してなる構成としたもので、帯状としてある連接体４に縫着により固定して、装飾性を高めるようにしたものである。
【００３７】
その他の構成は、上記した実施の各形態に示すのと同様であり、同一のものには同一符号が付してある。
【００３８】
図７に示すものは、装飾体として金属板のアクセサリー１３を連接体の中央部分に取り付けるようにしたもので、帯状とした連接体４に代えて、所要の長さとしてある３本のワイヤー１４を平行に配して用いるようにし、更に、七宝加工を施した金属製の一部ダイヤ型のクリップを用いた挟着体１５ａ，１５ｂとし、上記金属製のアクセサリー１３を連接体としての３本のワイヤー１４に取り付けて装飾性を高めるようにしたものである。
【００３９】
上記金属製のアクセサリー１３は、金属製の四角形状のベース１３ａに、三日月の型抜き模様１３ｂを施したものとしてある。
【００４０】
次に、図８（ａ）（ｂ）（ｃ）（ｄ）（ｅ）は本発明の襟用サスペンダー兼襟元装身具の実施の別の形態を示すもので、中央部にアクセサリー１８を有する連接体１７の両端部を円弧形状として突出させて、図２に示すシャツ１の襟２の端部の外側に沿い配置して飾りとなるようにし、該連接体１７の左右両端部位置の内側（裏面側）に、連接体１７の長手方向に延びる凹部１９を形成する。該各凹部１９に、第１の突起片としての挟着片２０ａと、該第１の挟着片２０ａに対向して該第１の挟着片２０ａに対して回動することにより挟着口２１を開閉するようにする第２の突起片としての挟着片２０ｂと、両挟着片２０ａと２０ｂの間に形成されるシャツの襟端部挟入用溝部２０ｃの最奥部となる基端側を支持すると共に上記第１と第２の挟着片２０ａ，２０ｂとは反対側となるアクセサリー１８側へ倒すことにより第２の挟着片２０ｂを回動させて上記襟端部挟入用溝部２０ｃの最先端側の挟着口２１を閉じ、又、起立させることにより第２の挟着片２０ｂを回動させて挟着口２１を開くように操作する開閉用レバー片２２を備える接続部２３からなる挟着体１６ａ，１６ｂを位置させ、上記接続部２３を、上記連接体１７の内側面に接着等で固定するようにし、上記各襟端部挟入用溝部２１ｃの最奥部である挟着根元部分Ａ間の距離を、図２（ａ）に示す距離Ｘと同寸法となるようにする。
【００４１】
図８（ａ）（ｂ）（ｃ）（ｄ）（ｅ）に示す実施の形態としてある本発明の襟用サスペンダー兼襟元装身具を、図２に示すようなシャツ１の襟２の一端部２ａと他端部２ｂに挟着させて使用するときは、先ず、一方の挟着体１６ａと他方の挟着体１６ｂの接続部２３に備えてある開閉用レバー片２２を、図８（ｃ）に実線で示す、倒してある状態から二点鎖線で示すように爪等で起こすようにする。これにより、上記接続部２３に接続されて支持されている第２の挟着片２０ｂを、図８（ｃ）に実線で示す閉じた位置から二点鎖線で示す位置まで回動させて、襟端部挟入用溝部２０ｃを開いて挟着口２１を開くようにする。
【００４２】
次に、上記のように、第１の挟着片２０ａと第２の挟着片２０ｂが開いた状態の一方の挟着体１６ａを、ネクタイ非着用で且つ首元の第１ボタン２ｃのみを外して左右に開いているシャツ１の襟２の一端部２ａの端辺部の中央部分に挟着させると共に、他方の挟着体１６ｂを、シャツ１の襟２の他端部２ｂの端辺部の中央部分に挟着させ、連接体１７の長くしてある端部を襟２の端部２ａと２ｂの各外側面に沿わせて配置するようにする。この際、上記襟２の端部２ａ，２ｂの端辺部が、第１の挟着片２０ａと第２の挟着片２ｂの間の襟端部挟入用溝部２０ｃの最奥部Ａに当接するように挟み込むようにする。これにより、図８（ｅ）に示す如く、左右に開いていたシャツ１の襟２の一端部２ａと他端部２ｂは、本発明の襟用サスペンダー兼襟元装身具によりシャツ１の中央部に引き寄せられることになり、上記襟２の一端部２ａと他端部２ｂの各中央部分間の寸法は、左右の挟着体１６ａと１６ｂの各挟着根元部分Ａ間の距離Ｘと同じ寸法になって、前記した実施の形態と同様に、シャツ１の前身頃頂上端部分（襟元部分）がはだけてしまうのを首元に違和感を与えることなく防止することができると共に、シャツ１の襟２の両端部が外向きに開きすぎたり、跳ね上がったりするのを防止して身嗜みを整えることができ、且つ、襟２の両端部間の中央に配置される装飾体としてのアクセサリー１８と、連接体１７の両端部が襟２の両端部に沿って延びることによる形状的美観の創出により、襟元全体の装飾性を高めることができる。
【００４３】
次いで、図９は、本発明の襟用サスペンダー兼襟元装身具の変形例を示すもので、図１（ａ）（ｂ）（ｃ）（ｄ）及び図２（ａ）（ｂ）（ｃ）に示す実施の形態において、第１の挟着片５ａに対して第２の挟着片５ｂを開閉可能に接続して、両挟着片５ａと５ｂによりシャツ１の襟端部を挟着するようにした挟着体３ａ，３ｂに代えて、挟着体を、突起片を開閉させないで襟端部に挟着（挟持）できるようにしたものである。すなわち、水平方向に延びる第１の突起片２５と、該第１の突起片２５と平行に延びる第２の突起片２６と、該第１の突起片２５と第２の突起片２６の各一端部を接続部２７で固定接続して両突起片２５，２６間に形成した襟端部挟入用溝部２８と、第２の突起片２６の先端側（接続部２７とは反対側）に該第２の突起片２６の厚み方向（使用時の前後方向）に螺合させた挟着用のねじ式の押え具２９とを備えてなる挟着体２４ａ，２４ｂとしたものである。
【００４４】
上記各挟着体２４ａ，２４ｂのねじ式の押え具２９は、上記第２の突起片２６のねじ孔に螺合させて挿通したねじ部２９ａと、該ねじ部２９ａのつまみ部２９ｂと、ねじ部２９ａの先端に取り付けて第１の突起片２５の内面との間でシャツの襟端部を挟着させるようにする押圧部材２９ｃとからなる構成としてある。更に、上記第１の突起片２５と第２の突起片２６との間に形成される襟端部挟入用溝部２８の接続部２７側端部となる最奥部を、襟２の端部２ａ，２ｂの襟端辺の当接部分として、ねじ式の押え具２９の押圧部材２９ｃと第１の突起片２５とで襟端部２ａ，２ｂを挟着（挟持）させるようにしたものである。
【００４５】
その他の構成は、図１（ａ）（ｂ）（ｃ）（ｄ）と図２（ａ）（ｂ）（ｃ）に示したのと同様であり、同一のものには同一符号が付してある。
【００４６】
図９に示した襟用サスペンダー兼襟元装身具を、図２（ｂ）に示した如き、ノーネクタイで第１ボタン２ｃを外して襟元を開けた状態のシャツ１に装着する場合、まず、一方の挟着体２４ａにおける上記第１の突起片２５と第２の突起片２６の押圧部材２９ｃとの間に、襟２の一端部２ａを挟入させるようにして、襟用サスペンダー兼襟元装身具の襟２の一端部２ａを保持させるようにする。次に、上記ねじ式の押え具２９のつまみ部２９ｂを掴んで、該ねじ式の押え具２９のねじ部２９ａを締め付けていくと、ねじ式の押え具２９が前進して、ねじ式の押え具２９の押圧部材２９ｃが襟２の一端部２ａに押圧力を加えることになるので、一方の挟着体２４ａを襟２の一端部２ａに挟着させることができる。次いで、他方の挟着体２４ｂを、一方の挟着体２４ａと同様に、襟２の他端部２ｂに挟着させると、図１（ａ）（ｂ）（ｃ）（ｄ）と図２（ａ）（ｂ）（ｃ）に示した実施の形態と同様に、襟２の一端部２ａと他端部２ｂとが、シャツ１の中央部にシャツ１の襟元が重なるまで引き寄せられることになる。この場合における距離Ｘ（図２（ａ）参照）の基点となるＡの位置は、襟２の端部２ａ，２ｂの襟端辺の当接部分となる襟端部挟入用溝部２８の最奥部である。
【００４７】
このように、図９に示した実施の形態によれば、図１（ａ）（ｂ）（ｃ）（ｄ）と図２（ａ）（ｂ）（ｃ）に示した実施の形態と同様の効果を奏することができる。
【００４８】
なお、本発明は上記した各実施の形態のものに限定されるものではなく、たとえば、図１、図３乃至図６に示す連接体４は、同一幅寸法のものを直線状にしたものとした場合を示しているが、中央部が太くあるいは細くなるような形状としたものや、中央部がＶ字型に曲がっている形状、その他複雑な形状を有する帯体でもよく、又、襟の両端部の引き寄せ作用をなすことが可能であれば、連接体は帯体に代えて、ワイヤー、チェーン又は針金等のような紐状あるいは棒状のもの、厚みのある立体的形状のものとしてもよい。更に、装飾体自体を連接体として挟着体３ａ，３ｂを装飾体に結合させるようにしてもよい。
【００４９】
又、図２(ａ)（ｂ）（ｃ）に示した実施の形態におけるシャツ１や襟２の形状は該形状に限定されるものではなく、シャツの襟の形状、更にサイズ等が異なる場合においても、図２(ａ)（ｂ）（ｃ）に示した実施の形態の場合と同様に、各場合における距離Ｌ及び距離ｌを基準として本発明の襟用サスペンダー兼襟元装身具の距離Ｘが個別に設定されることになるのは勿論である。但し、可変的に距離Ｘを設定できる手段、たとえば連接体４，１４，１７の長さ調整具等、を設けて、シャツや襟の形状、更にサイズ等が異なる場合への汎用性を持たせた実施の形態も可能である。
【００５０】
更に、図８に示す本発明の襟用サスペンダー兼襟元装身具における連接体１７は、中央部の装飾体としてのアクセサリー１８に挿通するようにしてもよく、又、上記連接体１７は、水平方向に長くなっている形状を保持できる強度を有するものであればよく、その材質は合成樹脂、金属その他任意のものが適用可能である。
【００５１】
更に又、装飾体１０，１１，１２，１３，１８は、連接体４，１４，１７の中央部以外に設けるようにしてもよい。
【００５２】
更に、シャツの種類は襟２が付いていれば特に限定されるものではなく、たとえば、ボタンダウン形式のものにも本発明は適用してもよい。
【００５３】
又、連接体４，１４，１７は、各挟着体３ａ，３ｂ，１５ａ，１５ｂ，１６ａ，１６ｂを襟２の両端部に取り付けた状態で上記水平方向の距離Ｘを保持することができれば、如何なる材質・強度のものであってもよい。
【００５４】
更に又、挟着体３ａ，３ｂ，１５ａ，１５ｂ，１６ａ，１６ｂ，２４ａ，２４ｂの形態は、襟２の両端部２ａ，２ｂにそれぞれ挟着することができれば特に限定されるものではなく、装飾体を設けるなどの装飾性を施すことも勿論可能である。
【００５５】
又、図９に示した実施の形態では、押え具２９をねじ式にした場合について説明してあるが、これらに限られるものではなく、たとえば、押圧部にローラを回転自在に備えたスライド式の押え具にしてもよい。
【００５６】
更に、接続部の形態は、図１(ａ)（ｂ）（ｃ）（ｄ）乃至図９に示したものに限定されるものではないこと、その他本発明の要旨を逸脱しない範囲内で種々変更を加え得ることは勿論である。
【符号の説明】
【００５７】
１  シャツ
２  襟
２ａ  一端部
２ｂ  他端部
３ａ  一方の挟着体
３ｂ  他方の挟着体
４  連接体
５ａ  第１の挟着片（第１の突起片）
５ｂ  第２の挟着片（第２の突起片）
５ｃ  襟端部挟入用溝部
７  接続部
１０  バッジ（装飾体）
１１  バッジ（装飾体）
１２  布製のアクセサリー（装飾体）
１３  金属製のアクセサリー（装飾体）
１４  ワイヤー（連接体）
１５ａ  一方の挟着体
１５ｂ  他方の挟着体
１６ａ  一方の挟着体
１６ｂ  他方の挟着体
１７  連接体
１８  アクセサリー（装飾体）
２０ａ  第１の挟着片（第１の突起片）
２０ｂ  第２の挟着片（第２の突起片）
２０ｃ  襟端部挟入用溝部
２３  接続部
２４ａ  一方の挟着体
２４ｂ  他方の挟着体
２５  第１の突起片
２６  第２の突起片
２７  接続部
２８  襟端部挟入用溝部
２９ａ  ねじ部
２９ｃ  押圧部材
【図１】
2012045364.tif 000003
【図２】
2012045364.tif 000004
【図３】
2012045364.tif 000005
【図４】
2012045364.tif 000006
【図５】
2012045364.tif 000007
【図６】
2012045364.tif 000008
【図７】
2012045364.tif 000009
【図８】
2012045364.tif 000010
【図９】
2012045364.tif 000011